(57)【特許請求の範囲】
【請求項１】
放送される映像情報を録画する機能を有する制御対象機器と、
前記制御対象機器を制御する遠隔操作装置とから構成される遠隔操作システムであって、
前記遠隔操作装置は、
前記制御対象機器に制御コードを伝送するための赤外線送信装置と
前記制御対象機器を操作するための仮想操作ボタンを表示する表示手段と、
前記仮想ボタンの押下を検出するための位置座標検出を行うタッチパネルと、
前記表示手段上に前記仮想操作ボタンを描画する描画手段と、を具備し、
さらに前記遠隔操作装置は、
前記制御対象機器の操作目的に応じて異なる前記仮想操作ボタンを表示する複数の表示
モードと前記表示モードを切り換える表示モード遷移ボタンとを有し、
前記遠隔操作装置に搭載された前記表示手段における表示モードである遷移の階層構造が、初期画面の下の階層がテレビモードと再生モードと録画モードを含むとともに、
上記再生モードの下の階層に再生リスト表示モードを含み、
前記遠隔操作システムは、
前記制御対象機器との間で情報の授受を行うための無線伝送受信制御装置をさらに具備した前記遠隔操作装置と、前記無線伝送受信制御装置を具備しない前記遠隔操作装置とが並存し、
前記無線伝送受信制御装置を具備する遠隔操作装置において、前記再生リスト表示モードの下に前記再生リストの内容詳細を記述した詳細情報表示モードを含む事を特徴とする、
遠隔操作システム。
【請求項２】
前記詳細情報表示モードにおける再生リストの内容詳細において、本再生リストに対応する録画情報における映像画面を表示させる事を特徴とする、
請求項１に記載の遠隔操作システム。
【請求項３】
前記制御対象機器との間で情報の授受を行うための無線伝送受信制御装置をさらに具備した前記遠隔操作装置と、前記無線伝送受信制御装置を具備しない前記遠隔操作装置とが並存する遠隔操作システムであって、
前記無線伝送受信制御装置を具備する遠隔操作装置において、前記再生リスト表示モードの下に、ユーザの嗜好にあわせたお奨め番組を抽出するための画面操作モードを含む事を特徴とする、
請求項１に記載の遠隔操作システム。
【請求項４】
前記無線伝送受信制御装置を具備する遠隔操作装置において、前記ユーザの嗜好にあわせたお奨め番組を抽出するための画面操作モードの下に、ユーザの好みのキーワードを入力するモードを含む事を特徴とする、
請求項３に記載の遠隔操作システム。
【請求項５】
前記無線伝送受信制御装置を具備する遠隔操作装置において、前記ユーザの嗜好にあわせたお奨め番組を抽出するための画面操作モードの下に、ユーザの嗜好に合わせたお奨め番組一覧を表示するモードを有する事を特徴とする、
請求項３に記載の遠隔操作システム。
【請求項６】
放送される映像情報を録画する機能を有する制御対象機器と、
前記制御対象機器を制御する遠隔操作装置とから構成される遠隔操作システムであって、
前記遠隔操作装置は、
前記制御対象機器に制御コードを伝送するための赤外線送信装置と
前記制御対象機器を操作するための仮想操作ボタンを表示する表示手段と、
前記仮想ボタンの押下を検出するための位置座標検出を行うタッチパネルと、
前記表示手段上に前記仮想操作ボタンを描画する描画手段と、を具備し、
さらに前記遠隔操作装置は、
前記制御対象機器の操作目的に応じて異なる前記仮想操作ボタンを表示する複数の表示
モードと前記表示モードを切り換える表示モード遷移ボタンとを有し、
前記遠隔操作装置に搭載された前記表示手段における表示モードである遷移の階層構造が、初期画面の下の階層がテレビモードと再生モードと録画モードを含むとともに、
上記再生モードの下の階層に再生リスト表示モードを含み、
前記制御対象機器との間で情報の授受を行うための無線伝送受信制御装置をさらに具備した前記遠隔操作装置と、前記無線伝送受信制御装置を具備しない前記遠隔操作装置とが並存する遠隔操作システムであって、
前記無線伝送受信制御装置を具備する遠隔操作装置において、前記再生リスト表示モードの下に、ユーザの嗜好にあわせたお奨め番組を抽出するための画面操作モードを含む事を特徴とする、
遠隔操作システム。
【請求項７】
前記無線伝送受信制御装置を具備する遠隔操作装置において、前記ユーザの嗜好にあわせたお奨め番組を抽出するための画面操作モードの下に、ユーザの好みのキーワードを入力するモードを含む事を特徴とする、
請求項６に記載の遠隔操作システム。
【請求項８】
前記無線伝送受信制御装置を具備する遠隔操作装置において、前記ユーザの嗜好にあわせたお奨め番組を抽出するための画面操作モードの下に、ユーザの嗜好に合わせたお奨め番組一覧を表示するモードを有する事を特徴とする、
請求項６に記載の遠隔操作システム。
【請求項９】
放送される映像情報を録画する機能を有する制御対象機器と、
放送される映像情報を表示する機能を有する制御対象機器と、
前記制御対象機器を制御する遠隔操作装置とから構成される遠隔操作システムであって、
前記遠隔操作装置は、
前記制御対象機器に制御コードを伝送するための赤外線送信装置と
前記制御対象機器を操作するための仮想操作ボタンを表示する表示手段と、
前記仮想ボタンの押下を検出するための位置座標検出を行うタッチパネルと、
前記表示手段上に前記仮想操作ボタンを描画する描画手段と、を具備し、
さらに前記遠隔操作装置は、
前記制御対象機器の操作目的に応じて異なる前記仮想操作ボタンを表示する複数の表示
モードと前記表示モードを切り換える表示モード遷移ボタンとを有し、
前記遠隔操作装置に搭載された前記表示手段における表示モードである遷移の階層構造が、初期画面の下の階層がテレビモードと再生モードと録画モードを含むとともに、
上記録画モードの下の階層に電子番組表表示モードを含み、
前記遠隔操作システムは、
前記制御対象機器との間で情報の授受を行うための無線伝送受信制御装置をさらに具備した前記遠隔操作装置と、前記無線伝送受信制御装置を具備しない前記遠隔操作装置とが並存し、
前記無線伝送受信制御装置を具備する遠隔操作装置の表示画面に前記電子番組表表示を行う場合、放送される映像情報を表示する機能を有する制御対象機器の表示内容を維持する事を特徴とする、
遠隔操作システム。
【請求項１０】
制御対象機器を制御する遠隔操作装置であって、
前記制御対象機器に制御コードを伝送するための赤外線送信装置と
前記制御対象機器を操作するための仮想操作ボタンを表示する表示手段と、
前記仮想ボタンの押下を検出するための位置座標検出を行うタッチパネルと、
前記表示手段上に前記仮想操作ボタンを描画する描画手段と、
前記制御対象機器の操作目的に応じて異なる前記仮想操作ボタンを表示する複数の表示
モードと前記表示モードを切り換える表示モード遷移ボタンと、を備え、
前記遠隔操作装置に搭載された前記表示手段における表示モードである遷移の階層構造が、初期画面の下の階層がテレビモードと再生モードと録画モードを含むとともに、
上記再生モードの下の階層に再生リスト表示モードを含み、
前記制御対象機器との間で情報の授受を行うための無線伝送受信制御装置をさらに備え、
前記再生リスト表示モードの下に前記再生リストの内容詳細を記述した詳細情報表示モードを含む事を特徴とする、
遠隔操作装置。
【請求項１１】
前記詳細情報表示モードにおける再生リストの内容詳細において、本再生リストに対応する録画情報における映像画面を表示させる事を特徴とする、
請求項１０に記載の遠隔操作装置。
【請求項１２】
前記制御対象機器との間で情報の授受を行うための無線伝送受信制御装置をさらに備え、
前記再生リスト表示モードの下に、ユーザの嗜好にあわせたお奨め番組を抽出するための画面操作モードを含む事を特徴とする、
請求項１０に記載の遠隔操作装置。
【請求項１３】
前記ユーザの嗜好にあわせたお奨め番組を抽出するための画面操作モードの下に、ユーザの好みのキーワードを入力するモードを含む事を特徴とする、
請求項１２に記載の遠隔操作装置。
【請求項１４】
前記ユーザの嗜好にあわせたお奨め番組を抽出するための画面操作モードの下に、ユーザの嗜好に合わせたお奨め番組一覧を表示するモードを有する事を特徴とする、
請求項１２に記載の遠隔操作装置。
【請求項１５】
制御対象機器を制御する遠隔操作装置であって、
前記制御対象機器に制御コードを伝送するための赤外線送信装置と
前記制御対象機器を操作するための仮想操作ボタンを表示する表示手段と、
前記仮想ボタンの押下を検出するための位置座標検出を行うタッチパネルと、
前記表示手段上に前記仮想操作ボタンを描画する描画手段と、
前記制御対象機器の操作目的に応じて異なる前記仮想操作ボタンを表示する複数の表示
モードと前記表示モードを切り換える表示モード遷移ボタンと、を備え、
前記遠隔操作装置に搭載された前記表示手段における表示モードである遷移の階層構造が、初期画面の下の階層がテレビモードと再生モードと録画モードを含むとともに、
上記再生モードの下の階層に再生リスト表示モードを含み、
前記制御対象機器との間で情報の授受を行うための無線伝送受信制御装置をさらに備え、
前記再生リスト表示モードの下に、ユーザの嗜好にあわせたお奨め番組を抽出するための画面操作モードを含む事を特徴とする、
遠隔操作装置。
【請求項１６】
前記ユーザの嗜好にあわせたお奨め番組を抽出するための画面操作モードの下に、ユーザの好みのキーワードを入力するモードを含む事を特徴とする、
請求項１５に記載の遠隔操作装置。
【請求項１７】
前記ユーザの嗜好にあわせたお奨め番組を抽出するための画面操作モードの下に、ユーザの嗜好に合わせたお奨め番組一覧を表示するモードを有する事を特徴とする、
請求項１５に記載の遠隔操作装置。
【請求項１８】
放送される映像情報を録画する機能を有する制御対象機器と、放送される映像情報を表示する機能を有する制御対象機器とを制御する遠隔操作装置であって、
前記制御対象機器に制御コードを伝送するための赤外線送信装置と
前記制御対象機器を操作するための仮想操作ボタンを表示する表示手段と、
前記仮想ボタンの押下を検出するための位置座標検出を行うタッチパネルと、
前記表示手段上に前記仮想操作ボタンを描画する描画手段と、
前記制御対象機器の操作目的に応じて異なる前記仮想操作ボタンを表示する複数の表示
モードと前記表示モードを切り換える表示モード遷移ボタンと、を備え、
前記表示手段における表示モードである遷移の階層構造が、初期画面の下の階層がテレビモードと再生モードと録画モードを含むとともに、
上記録画モードの下の階層に電子番組表表示モードを含み、
前記制御対象機器との間で情報の授受を行うための無線伝送受信制御装置をさらに備え、
前記無線伝送受信制御装置を具備する遠隔操作装置の表示画面に前記電子番組表表示を行う場合、放送される映像情報を表示する機能を有する制御対象機器の表示内容を維持する事を特徴とする、
遠隔操作装置。
【発明の詳細な説明】
【技術分野】
【０００１】
本発明は、遠隔操作システムおよび遠隔操作装置に関するものである。
【背景技術】
【０００２】
従来、テレビやＤＶＤレコーダ等の機器を遠隔操作する場合、リモートコントローラに固定的に設けられたボタンを押下するといった操作が一般的であったが、表示装置とタッチパネルを有し、表示内容を変更できるリモートコントローラが提案されている（特許文献１参照）。
【先行技術文献】
【特許文献】
【０００３】
【特許文献１】特開２００５−１３６５１８号公報
【発明の概要】
【発明が解決しようとする課題】
【０００４】
近年、デジタルテレビやＤＶＤレコーダといった機器が複雑かつ高機能化しているため、このような機器を遠隔操作するためのリモートコントローラについては、操作ボタン数が増加し、所望の操作をするためのボタンが見つからない、あるいは、所望の操作を行うためにボタンを押下する回数が増加する等、リモートコントローラの操作が非常に煩わしくなってきており、高齢者や情報弱者のみならず、日頃上記のような機器に接する機会の多い人にとっても、その操作は困難なものとなっている。
【０００５】
また、多くの場合、デジタルテレビやＤＶＤレコーダのように、複数の機器を組み合わせて使用する機会が増加しており、リモートコントローラの操作をより煩雑なものにしている。
【０００６】
本発明は、上記の事情に鑑み、操作性に優れた遠隔操作システムおよび遠隔操作装置を提供することを目的とする。
【課題を解決するための手段】
【０００７】
本発明の遠隔操作システムは、上記の課題を解決するために、連携する複数の機器の操作に対応した信号を、前記リモートコントローラから同時に送出することで、各々の制御対象機器が遠隔操作されることを特徴とする。
【０００８】
また、本発明の遠隔操作システムは、上記の課題を解決するために、タッチパネルを備えたリモートコントローラを有し、前記タッチパネルの表示内容が変更でき、表示内容に選択肢がある場合、有効な機能だけを表示することを特徴とする。
【０００９】
さらに本発明の遠隔操作システムは、上記の課題を解決するために、前記タッチパネルを備えた前記リモートコントローラを有し、前記タッチパネルの表示内容が変更でき、押下したときに、同じ操作に対応する信号を送出する複数のボタンを、前記リモートコントローラのタッチパネル上に同時に表示することを特徴とする。
【００１０】
さらに本発明の遠隔操作システムは、上記の課題を解決するために、前記タッチパネルを備えた前記リモートコントローラを有し、前記タッチパネルの表示内容が変更でき、前記表示内容は、タッチパネルを備えていない従来型のリモートコントローラの一部に相当することを特徴とする。
【００１１】
さらに本発明の遠隔操作システムは、上記の課題を解決するために、無線による送受信機能を有し、レコーダやＴＶ側に搭載した対応無線機能とのプロトコル確立によって、複数の階層画面に遷移する事ができ、無線機能を搭載していないリモコンを併用使用した場合での連携動作も行う事ができる。
【００１２】
さらに本発明の遠隔操作システムは、上記の課題を解決するため、無線による送受信機能を有し、無線機能を搭載していないレコーダを使用した場合でも簡単な操作を行う事ができる。
【発明の効果】
【００１３】
本発明によれば、操作性に優れた遠隔操作装置及び遠隔操作システムを提供できるという効果を奏する。
【００１４】
特に無線ＩＦの搭載により、装置側の状態遷移と、遠隔操作装置側の状態遷移とを常に同期を取る事ができるため、遠隔操作装置に搭載された表示機能における画面の階層構造を多くしても、操作による状態遷移ずれによる不具合を生じないメリットがある。
【００１５】
また無線機能を搭載しない遠隔操作装置と、無線機能を搭載した遠隔操作装置とを併用した場合でも常に無線機能を搭載した遠隔操作装置の表示モードが装置側の状態遷移と同期するため、操作による状態遷移ずれによる不具合を生じないため、無線ＩＦを搭載していない遠隔操作装置や機能を限定した簡単リモコンと併用しても、上述した無線搭載の遠隔操作装置の使い勝手を損なうことなく利用できる。
【００１６】
また、無線機能を搭載した遠隔操作装置の表示部分を用いて、ＴＶ画面を変更せず、手元で録画予約を行ったり、録画したリストを確認したり、お勧め番組抽出のためのキーワード入力を手元で操作する事ができる。
【００１７】
また再生リストの詳細情報における関連する映像情報や文字情報を手元で確認する事ができる。
【００１８】
また、放送される映像情報を録画する録画装置側に無線機能を持たない場合でも、表示装置と録画装置とがケーブルでリンク接続されていれば、表示装置側に搭載された無線機能により、無線機能を搭載した遠隔操作装置の効果を享受する事ができる。
【００１９】
また赤外線送信機能も搭載しているため、装置側に無線機能がなくても遠隔操作を行う事ができる。
【００２０】
また無線機能確認後に装置側に無線機能がないもしくはプロトコル確立ができない場合、赤外線送信機能を動作させるため、電池の消費電力を最小限に抑える事が可能である。
【図面の簡単な説明】
【００２１】
【図１】本発明の実施の形態１を示す遠隔操作システムの機器構成図である。
【図２】本発明の実施の形態１を示す遠隔操作装置の機能ブロック図である。
【図３】本発明の実施の形態１を示す表示モード遷移図である。
【図４】本発明の実施の形態１を示す表示モード遷移と機器状態遷移図である。
【図５】本発明の実施の形態１を示す表示モード遷移と機器状態遷移図である。
【図６】本発明の実施の形態２を示す表示モード遷移と機器状態遷移図である。
【図７】本発明の実施の形態３を示す表示モード遷移図である。
【図８】本発明の実施の形態４を示す遠隔操作装置と表示モード遷移図である。
【図９】本発明の実施の形態５を示す表示モード遷移図である。
【図１０】本発明の実施の形態５を示す表示モード遷移図である。
【図１１】本発明の実施の形態５を示す表示モード遷移図である。
【図１２】本発明の実施の形態５を示す表示モード遷移図である。
【図１３】本発明の実施の形態５を示す表示状態遷移図である。
【図１４】本発明の実施の形態５を示す表示状態遷移図である。
【図１５】本発明の実施の形態５を示す表示状態遷移図である。
【図１６】本発明の実施の形態５を示す表示状態遷移図である。
【図１７】本発明の実施の形態６を示す遠隔操作装置動作フローである。
【図１８】本発明の実施の形態６を示す遠隔操作装置動作フローである。
【図１９】本発明の実施の形態６を示す遠隔操作装置動作フローである。
【図２０】本発明の実施の形態６を示す表示状態遷移図である。
【図２１】本発明の実施の形態６を示す表示状態遷移図である。
【発明を実施するための形態】
【００２２】
本発明の実施の形態について、図に従い以下に説明する。
【００２３】
＜実施の形態１＞
図１は、本発明の実施の形態１における複数の制御対象機器である表示装置と記録再生装置、および複数の制御対象機器を遠隔操作する遠隔操作装置で構成される遠隔操作システムの機器構成図を示す。
【００２４】
１１１は、制御対象機器に制御コードを伝送するための赤外線送信装置を有し、無線伝送受信制御装置を具備しない遠隔操作装置であって、制御対象機器を操作するための仮想操作ボタンを表示する表示部（表示手段）、仮想ボタンの押下を検出するための位置座標検出を行うタッチパネル、表示手段上に仮想操作ボタンを描画するＣＰＵ（描画手段）、を備える、リモートコントローラなどの遠隔操作装置である。
【００２５】
１１９は、制御対象機器に制御コードを伝送するための赤外線送信装置を有し、さらに無線伝送受信制御装置を具備する無線＆赤外式液晶タッチパネルリモコン（遠隔操作装置）であって、制御対象機器を操作するための仮想操作ボタンを表示する表示部（表示手段）、仮想ボタンの押下を検出するための位置座標検出を行うタッチパネル、表示手段上に仮想操作ボタンを描画するＣＰＵ（描画手段）、を備える、リモートコントローラなどの遠隔操作装置である。
【００２６】
１１２は放送される映像情報を表示する機能を有するテレビなどの表示装置、１１３は放送される映像情報を録画する機能を有するＤＶＤレコーダなどの記録再生装置である。１１４は、映像音声を伝送するＡＶ（Ａｕｄｉｏ／Ｖｉｓｕａｌ）ケーブルなどの接続ケーブルで、記録再生装置１１３の映像音声出力と、表示装置１１２の映像音声入力を接続している。１１６は、遠隔操作装置１１１から、表示装置１１２と記録再生装置１１３を操作するために送信される赤外線送信信号、１１５は、無線＆赤外式液晶タッチパネルリモコン１１９から、表示装置１１２と記録再生装置１１３を操作するために送信される赤外線送信信号、１１７は無線＆赤外式液晶タッチパネルリモコン１１９から送信される無線信号、１１８はレコーダから送信される無線信号である。但し、本実施の形態において、無線＆赤外式液晶タッチパネルリモコン１１９は無くても良い。
【００２７】
また、図２は、本発明の実施の形態１における遠隔操作装置１１１の機能ブロック図を示し、１２１はＣＰＵ（Ｃｅｎｔｒａｌ  Ｐｒｏｃｅｓｓｉｎｇ  Ｕｎｉｔ）、１２２は、ＣＰＵ１２１のプログラムコードを格納したＦｌａｓｈ  ＲＯＭなどのメモリである。また、１２３は、操作ボタンなどを表示する液晶パネル、１２４は、液晶パネルに表示される仮想操作ボタンを押下したことを検知するために、液晶パネル１２４に取り付けられたタッチパネルである。液晶パネル１２３とタッチパネル１２４は一体化されており、液晶タッチパネル１２５を構成している。１２６は、液晶タッチパネル１２５に対して使用者が入力操作を行ったときに、対応する赤外線送信信号１１５を発生させるための信号送信部、１２７は、液晶タッチパネル１２５に対して使用者が入力操作を行ったときに、ビープ音などで操作音を発生するための発音装置、１２８は無線信号送受信装置である。
【００２８】
液晶タッチパネル１２５の中で、タッチパネル１２４は、仮想操作ボタンを表示する液晶パネル１２３上に配置されており、ＣＰＵ１２１は、使用者が指やペンを使用してタッチパネル１２４を押下したときに、その座標を検知することで、液晶パネル１２３上に表示されたどの仮想操作ボタンを押下したかを検出することができるように構成されている。
【００２９】
次に動作について説明する。遠隔操作装置１１１に内蔵されたＣＰＵ１２１は、メモリ１２２に格納されたプログラムコードに従い、液晶タッチパネル１２５に仮想操作ボタンを表示する。図３は、本実施例による遠隔操作装置１１１の３つの表示モードを示し、図３（ａ）は、主として表示装置１１２を操作する仮想操作ボタンを配置したテレビモードで、図３（ｂ）は、主として記録再生装置１１３の再生機能を操作する仮想操作ボタンを配置した再生モード、図３（ｃ）は、主として記録再生装置１１３の録画予約機能を操作する仮想操作ボタンを配置した予約モードである。これらの各モードはＣＰＵ１２１が、液晶タッチパネル１２５に表示する仮想操作ボタンの形状／サイズ／位置／色／文字を適宜変更することで実現している。各モードには、表示モード遷移用の仮想操作ボタンが共通に配置されており、１３１は、テレビモードボタン、１３２は、予約モードボタン、１３３は、再生モードボタンである。
【００３０】
次に各表示モードの動作について、図に従い説明する。図３は、遠隔操作装置１１１が有する３つの表示モードと、液晶タッチパネル１２５上に表示される仮想操作ボタンの一例を示している。
【００３１】
図３（ａ）に示すテレビモードは、液晶タッチパネル１２５に地上波放送や衛星放送などの放送種別を切換えるための仮想操作ボタン（図中「放送切換」）を表示する。使用者により前記仮想操作ボタンが押されると、テレビなどの表示装置１１２の放送種別の切換えが行われる。さらに、選択が可能な受信チャンネルに対応する仮想操作ボタン（図中１〜１２）を液晶タッチパネル１２５に表示し、使用者により前記受信チャンネルに相当する前記仮想操作ボタンが押されると、テレビなどの表示装置１１２の受信チャンネルが切替わる。
【００３２】
図３（ｂ）に示す再生モードは、ＤＶＤレコーダなどの記録再生装置１１３に備えられた、再生可能な記録媒体名に相当する仮想操作ボタン（図中「ＨＤＤ」「ＤＶＤ」）を液晶タッチパネル１２５に表示する。使用者により前記再生可能な記録媒体の１つが選択され、前記仮想操作ボタンが押されると、前記記録媒体の切換えが行われる。また、液晶タッチパネル１２５には再生画を早送り・早戻し・停止などを行うための仮想操作ボタンが表示され、使用者の選択に応じてＤＶＤレコーダなどの記録再生装置１１３の早送り・早戻し・停止などの動作が行われる。さらに、再生リストと呼ばれる録画済み番組リストから再生したい番組を選択するための、上下キーに相当する仮想操作ボタンも表示される。
【００３３】
図３（ｃ）に示す予約モードは、液晶タッチパネル１２５に電子番組表を操作するための仮想操作ボタンを表示する。表示される前記電子番組表はテレビなどの表示装置１１２あるいは、ＤＶＤレコーダなどの記録再生装置１１３が備えるＥＰＧ（Ｅｌｅｃｔｒｉｃａｌ  Ｐｒｏｇｒａｍ  Ｇｕｉｄｅ）による番組表を操作するためのものである。使用者により前記仮想操作ボタンが押されると前記番組表から使用者が任意の番組を選択し、記録再生装置１１３に録画予約することができる。また液晶タッチパネル１２５には予約内容の変更のため時間・受信チャンネルの変更操作を可能にする仮想操作ボタンも表示される。選択に応じて予約時間・受信チャンネル等を変更することができる。
【００３４】
このように各モードは、使用者の目的「テレビ番組の視聴」、「録画済み番組の再生」、「番組録画予約」について、それぞれ必要な仮想操作ボタンを配置している。
【００３５】
次に各表示モードの遷移について説明する。遠隔操作装置１１１の操作画面の中で、画面上部の３つの仮想操作ボタンは、表示モード遷移ボタン１３１〜１３３として、表示モード遷移の目的で使用される。テレビモードボタン１３１は、図３（ａ）に示すテレビモードに遷移するために使用され、予約モードボタン１３２は、図３（ｃ）に示す予約モードに遷移するために使用され、再生モードボタン１３３は、図３（ｂ）に示す再生モードに遷移するために使用される。
【００３６】
図４（ａ）は、遠隔操作装置１１１が有する３つの表示モードの中で、テレビモードから再生モードへ遷移する時の遠隔操作装置１１１と表示装置１１２および記録再生装置１１３の動作を示している。遠隔操作装置１１１がテレビモード（図３（ａ））にあるとき、再生モードボタン１３３を押下すると、遠隔操作装置１１１の操作画面は、再生モード（図３（ｂ））に遷移する。
【００３７】
このとき遠隔操作装置１１１は、同時に表示装置１１２に対して、外部入力映像を表示させるための赤外線送信信号１１６を送信し、記録再生装置１１３の出力映像音声を表示させるための準備を行う。また同時に、記録再生装置１１３に対して、再生リストを表示させるための赤外線送信信号１１６を送信し、再生リストの映像音声を出力させるための準備を行う。
【００３８】
図４（ｂ）は、赤外線送信信号１１６の一例を図示したもので、表示装置１１２を操作するために、テレビ識別コードと入力切換コードを送信し、続いて記録再生装置１１３を操作するために、レコーダ識別コードと再生リスト表示コードを送信している。
【００３９】
これらの一連の動作により、記録再生装置１１３により表示された再生リストの映像音声は、接続ケーブル１１４を経由して、表示装置１１２上に表示される。上述したように、再生モードは、再生リストから番組を選択するのに必要な仮想操作ボタンを配置しているため、使用者は再生モード遷移後、すぐに再生したい記録済み番組選択操作が可能になり、遠隔操作システムの使い勝手を向上させることができる。
【００４０】
図５（ａ）は、遠隔操作装置１１１が有する３つの表示モードの中で、テレビモードから予約モードへの表示モード遷移する時の遠隔操作装置１１１と表示装置１１２および記録再生装置１１３の動作を示している。遠隔操作装置１１１がテレビモード（図３（ａ））にあるとき、予約モードボタン１３２を押下すると、遠隔操作装置１１１の操作画面は、予約モード（図３（ｃ））に遷移する。
【００４１】
このとき遠隔操作装置１１１は、表示装置１１２に対して外部入力映像を表示させるための赤外線送信信号１１６を送信し、記録再生装置１１３の出力映像音声を表示させるための準備を行う。また同時に、記録再生装置１１３に対して、電子番組表を表示させるための赤外線送信信号１１６を送信し、電子番組表と呼ばれる放送予定番組一覧表の映像音声を出力させるための準備を行う。すなわち、遠隔操作装置１１１は複数の制御対象機器を同時に制御する。
【００４２】
図５（ｂ）は、赤外線送信信号１１６の一例を図示したもので、表示装置１１２を操作するために、テレビ識別コードと入力切換コードを送信し、続いて記録再生装置１１３を操作するために、レコーダ識別コードと番組表表示コードを送信している。
【００４３】
これらの一連の動作により、記録再生装置１１３により表示された電子番組表の映像音声は、接続ケーブル１１４を経由して、表示装置１１２上に表示される。上述したように、予約モードは、電子番組表から番組を選択するのに必要な仮想操作ボタンを配置しているため、使用者は予約モード遷移後、すぐに予約したい放送予定番組の選択操作が可能になり、遠隔操作システムの使い勝手を向上させることができる。
【００４４】
本実施の形態では、テレビモードから再生モードへの表示モード遷移と、テレビモードから予約モードへの表示モード遷移を例に挙げたが、逆方向の遷移、または再生モードと予約モード間での表示モード遷移についても、同様の手段により、遠隔操作システムの使い勝手を向上させることができる。
【００４５】
また、本実施の形態では、遠隔操作装置１１１は、表示装置１１２と記録再生装置１１３の両方に赤外線送信信号１１６を送信したが、いずれか片方にのみ送信し、表示装置１１２と記録再生装置１１３間で別の通信手段を使用して、残る赤外線送信信号もしくは相当する動作指示を送信するように構成してもよい。表示装置１１２と記録再生装置１１３間の通信手段として、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格ケーブルを経由して送受信されるＣＥＣ（Ｃｏｎｓｕｍｅｒ  Ｅｌｅｃｔｒｏｎｉｃｓ  Ｃｏｎｔｒｏｌ）通信を使用してもよい。
【００４６】
また、本実施の形態では、遠隔操作装置１１１のモードを、テレビモード、再生モード、予約モードの３モードとしたが、その中の２つのモードに限定してもよいし、また上記以外のモードを設けてもよい。
【００４７】
また、本実施の形態では、遠隔操作装置１１１上に仮想操作ボタンを表示するために液晶タッチパネル１２５を構成する液晶パネル１２３を用いたが、表示デバイスとしてはその種類を問わない。同様に、本実施の形態では、使用者が選択した位置を特定するために、タッチパネル１２４を使用したが、使用者が選択したボタンを特定できれば、ポインティングデバイスの種類は問わない。
【００４８】
また、本実施の形態では、遠隔操作装置１１１から表示装置１１２と記録再生装置１１３を操作するために、赤外線送信信号１１６を使用したが、必ずしも赤外線を使用する必要はなく、電波、光などの信号であれば、同様の効果を奏する。
【００４９】
また、本実施の形態では、遠隔操作装置１１１上には、液晶タッチパネル１２５に表示される仮想操作ボタンのみを搭載しているが、ハードウェアにより構成されるキー、例えば十字キーなどと併用するように構成しても構わない。また、表示モード遷移ボタン１３１〜１３３は、各表示モードで共通に使用できるため、仮想操作ボタンではなく、ハードウェアにより構成されるキーとして用意しても構わない。
【００５０】
＜実施の形態２＞
図１は、本発明の実施の形態２における複数の制御対象機器である表示装置と記録再生装置、および複数の制御対象機器を遠隔操作する遠隔操作装置で構成される遠隔操作システムの機器構成図を示す。構成は実施の形態１と同様であるので、ここでの詳細な説明は省略する。但し、本実施の形態において、無線＆赤外式液晶タッチパネルリモコン１１９は無くても良い。また、図１に示す遠隔操作装置１１１を遠隔操作装置２６１とする。
【００５１】
図６は、本発明の実施の形態２の３つの表示モードを示し、図６（ａ）はテレビモード、図６（ｂ）は再生モード、図６（ｃ）は予約モードを示している。各表示モードの主たる目的は前記実施の形態１と同様である。図中、２６１は、本実施例における遠隔操作装置、２６２は、再生リストボタン、２６３は、番組表ボタンである。前記実施の形態１では、遠隔操作装置１１１に表示モード遷移ボタン１３１〜１３３を用意し、表示モード遷移ボタンを遠隔操作装置１１１の表示モード遷移として使用すると共に、表示装置１１２と記録再生装置１１３へ赤外線送信信号１１６を送信するために使用した。
【００５２】
すなわち、制御対象機器の操作目的に応じて異なる仮想操作ボタンを表示する複数の表示モードと表示モードを切り換える表示モード遷移ボタンとを有し、遠隔操作装置に搭載された表示手段における表示モードである遷移の階層構造が、初期画面の下の階層が表示モードと再生モードと録画モードを含む。
【００５３】
しかし、実施の形態１の図３に示すような仮想操作ボタン配置では、遠隔操作装置１１１のモード遷移を伴わずに、表示装置１１２と記録再生装置１１３へ赤外線送信信号１１５を送信することができない。
【００５４】
例えば、図３において、テレビモードから再生モードボタン１３３を押下して、再生モードへ移行した際に、表示装置１１２に対して、外部入力映像を表示させるための赤外線送信信号１１６を送信し、同時に、記録再生装置１１３に対して、再生リストを表示させるための赤外線送信信号１１６を送信することで、表示装置１１２の外部入力を使用して、記録再生装置１１３の番組表を表示させることが可能で、その状態から、使用者は再生する番組の選択を行い、再生を開始することができる。
【００５５】
しかし、記録再生装置１１３には、番組の再生終了後、再生リストを再表示しないように構成されているものもあり、使用者が次の番組を再生しようとしたときに、遠隔操作装置１１１を一旦テレビモードに切り換えた後、もう一度再生モードに切り換える必要があり、操作がかえって煩雑になるといった不具合がある。
【００５６】
このような不具合を改善する手段として、例えば、遠隔操作装置１１１が再生モード（図３（ｂ））のときに、再生モードボタン１３３を再押下したときに、表示装置１１２に対して、外部入力映像を表示させるための赤外線送信信号１１６を送信し、記録再生装置１１３の出力映像音声を表示させ、同時に、記録再生装置１１３に対して、再生リストを表示させるための赤外線送信信号１１６を送信し、再生リストを表示させるといった、モード遷移時と同等の動作をさせる方法があるが、表示モード遷移ボタンを機器操作ボタンと兼用しているため、直感的な操作が困難で、使用者の混乱を招きやすいといった問題点があった。
【００５７】
本実施の形態は、上記の問題点を解決するために、モード遷移に使用するための表示モード遷移ボタンとは別に、機器操作専用のボタンを設けたものである。図６（ｂ）は、本実施の形態における再生モード表示で、図３（ｂ）と異なり、再生リストボタン２６２が配置されている。すなわち、再生モードの下の階層に再生リスト表示モードを含む。また、図６（ｃ）は、本実施例による予約モード表示で、図３（ｃ）と異なり、番組表ボタン２６３が配置されている。すなわち、録画モードの下の階層に電子番組表表示モードを含む。なお、無線＆赤外式液晶タッチパネルリモコン１１９を使用し、その表示画面に電子番組表表示を行う場合、放送される映像情報を表示する機能を有する制御対象機器の表示内容は維持される。
【００５８】
遠隔操作装置２６１が再生モード中であるにも関わらず、記録再生装置１１３の再生リストが表示されていない場合には、再生リストボタン２６２を押下することで、再生リストを表示させるための赤外線送信信号１１６を送信し、再生リストを表示させる。ここで、再生リストを表示させるための赤外線送信信号１１６とは、表示装置１１２に対する、外部入力映像を表示させるための赤外線送信信号１１６と、記録再生装置１１３に対して、再生リストを表示させるための赤外線送信信号１１６の一方もしくは両方を意味する。
【００５９】
同様に、遠隔操作装置２６１が予約モード中であるにも関わらず、電子番組表が表示されていない場合には、番組表ボタン２６３を押下することで、電子番組表を表示させるための赤外線送信信号１１６を送信し、電子番組表を表示させる。ここで、電子番組表を表示させるための赤外線送信信号１１６とは、表示装置１１２に対する、外部入力映像を表示させるための赤外線送信信号１１６と、記録再生装置１１３に対して、電子番組表を表示させるための赤外線送信信号１１６の一方もしくは両方を意味する。
【００６０】
このように、遠隔操作装置２６１上に、表示モード遷移と機器操作を同時に行う表示モード遷移ボタンと、表示モード遷移が必要のないときでも機器操作を行う機器操作用のボタンとを、それぞれ独立に用意することで、表示モード遷移を伴わない場合でも機器操作を可能にし、遠隔操作システムの使い勝手を向上させることができる。もちろん、表示モード遷移ボタンを機器操作ボタンと兼用する前記手段とを併用しても構わない。
【００６１】
＜実施の形態３＞
図１は、本発明の実施の形態３における複数の制御対象機器である表示装置と記録再生装置、および複数の制御対象機器を遠隔操作する遠隔操作装置で構成される遠隔操作システムの機器構成図を示す。構成は実施の形態１と同様であるので、ここでの詳細な説明は省略する。但し、本実施の形態において、無線＆赤外式液晶タッチパネルリモコン１１９は無くても良い。また、図１に示す遠隔操作装置１１１を遠隔操作装置３７１とする。
【００６２】
図７は、本発明の実施の形態３のテレビモード画面を表し、図７（ａ）は、テレビモード、図７（ｂ）は、放送選択中のテレビモードを示している。図中、３７１は、本実施の形態における遠隔操作装置、３７２は、地上波デジタル放送選択ボタン、３７３は、ＢＳ（Ｂｒｏａｄｃａｓｔｉｎｇ  Ｓａｔｅｌｉｔｅ）デジタル放送選択ボタン、３７４は、ＣＳ（Ｃｏｍｍｕｎｉｃａｔｉｏｎ  Ｓａｔｅｌｉｔｅ）デジタル放送選択ボタン、３７５は、地上波アナログ放送選択ボタンである。図７（ａ）は、遠隔操作装置３７１のテレビモードを示しており、実施の形態１もしくは２と同様に、テレビ番組の視聴目的のために表示装置１１２を操作するための仮想操作ボタンと、表示モード遷移のための表示モード遷移ボタン１３１〜１３３が、液晶タッチパネル１２５上に表示されている。
【００６３】
図７（ａ）の状態から、使用者が放送切換ボタンを押下したとき、遠隔操作装置３７１の画面は、図７（ｂ）へ遷移する。放送切換とは、例えばデジタル放送対応テレビなどで、受信する放送波の種類を切り換えるために使用され、放送波として代表的なものにはデジタル地上波を用いた地上波デジタル放送、放送衛星を用いたＢＳデジタル放送、通信衛星を用いたＣＳデジタル放送、従来のアナログ地上波を用いた地上波アナログ放送などが挙げられる。
【００６４】
使用者が放送切換ボタンを押下した後に、期待される次の操作としては、放送波の選択動作以外は通常有り得ない。このように、期待される操作が限定される場合、本実施例の遠隔操作装置３７１では、操作が期待される仮想操作ボタン以外は操作できないように構成されている。図７（ｂ）では、放送波の選択に使用する仮想操作ボタンのみが表示され、それ以外の仮想操作ボタンは操作できない。また、使用者に対して、操作不可であることを告知するために、表示色を変えている。すなわち、タッチパネルは表示内容に選択肢がある場合有効な機能だけを表示する。
【００６５】
図７（ｂ）から、いずれかの放送波の選択操作に相当する仮想操作ボタンを押下した場合、遠隔操作装置３７１は、該当する放送波選択に応じて赤外線送信信号１１５を送信する。表示装置１１２は、赤外線送信信号１１６を受信した後、指定された放送波に受信を切り換えて表示する。例えば、地上波デジタル放送選択ボタン３７２を選択した場合、遠隔操作装置３７１は、表示装置１１２に対して、地上波デジタル放送を選択する赤外線送信信号１１６を送信すると共に、図７（ａ）の状態に表示モードを遷移する。
【００６６】
このように、本発明の実施の形態３に示す遠隔操作装置３７１では、期待される操作が限定される場合、操作が期待される有効なボタンのみ操作可能にするので、使用者が次の操作に迷うことが無くなり、遠隔操作システムの使い勝手を向上させることができる。
【００６７】
本実施の形態では、操作が期待される仮想操作ボタン以外は、表示色を変えて選択できないことを表現したが、それ以外の手段、例えばボタン上に操作禁止マークを表示するなどの手段を用いてもよいし、選択できない仮想操作ボタンは液晶タッチパネル１２５上に表示しないように構成してもよい。
【００６８】
また、本実施の形態では、操作が期待される仮想操作ボタン以外は選択できないように構成したが、使用者の誤操作により放送切換ボタンを押下し、図７（ｂ）に遷移した可能性も考えられるため、図７（ｂ）から図７（ａ）に直接戻るためのボタンを設けてもよい。
【００６９】
また、本実施の形態では、表示装置１１２の放送波切換を例に挙げたが、表示装置１１２の機能に限らず、期待される次の操作が限定される機能、例えば記録再生装置１１３の機能設定などに応用すれば、同様に遠隔操作システムの使い勝手を向上させる効果を得ることが出来る。
【００７０】
＜実施の形態４＞
図１は、本発明の実施の形態４における複数の制御対象機器である表示装置と記録再生装置、および複数の制御対象機器を遠隔操作する遠隔操作装置で構成される遠隔操作システムの機器構成図を示す。構成は実施の形態１と同様であるので、ここでの詳細な説明は省略する。但し、本実施の形態において、無線＆赤外式液晶タッチパネルリモコン１１９は無くても良い。また、図１に示すタッチパネルを備える遠隔操作装置１１１を遠隔操作装置（第２の遠隔操作装置）４８２とし、さらに図１には図示していないが、タッチパネルを備えない従来型リモコン（第１の遠隔操作装置）４８１を備えるものとする。
【００７１】
図８は、本発明の実施の形態４の遠隔操作装置と表示モード遷移を示している。４８１は、表示画面を持たない第１の遠隔操作装置、４８２は、表示画面を持つ第２の遠隔操作装置を示している。４８３は、主としてテレビ視聴に使用するテレビ用ボタン群、４８４は、主として記録済み番組の再生に使用する再生用ボタン群、４８５は、主として放送番組の録画予約に使用する予約用ボタン群で、いずれも第１の遠隔操作装置４８１上に配置されている。
【００７２】
図８は、表示画面を持った第２の遠隔操作装置４８２の表示モード遷移を示し、図８（ａ）は、テレビモード、図８（ｂ）は、再生モード、図８（ｃ）は、予約モードを示している。各モードでは、前記実施の形態と同様に、表示モード遷移ボタン１３１〜１３３が配置されており、例えば図８（ａ）に示すテレビモードを表示した状態で、再生モードボタン１３３を押下すると、第２の遠隔操作装置４８２は、図８（ｂ）に示す再生モードへ遷移する。また、例えば、図８（ａ）に示すテレビモードを表示した状態で、予約モードボタン１３２を押下すると、第２の遠隔操作装置４８２は、図８（ｃ）に示す予約モードへ遷移する。
【００７３】
一方で、第１の遠隔操作装置４８１は、第２の遠隔操作装置のような表示画面を持たない従来型のリモートコントローラであるが、安価であることから従来の記録再生装置１１３などでは広く利用されており、第２の遠隔操作装置４８２と併用される場合が多い。
【００７４】
第１の遠隔操作装置４８１は、テレビ視聴、再生、録画予約に必要なボタンを全て用意する必要があるためボタン数が多く、使用者が使用目的に対して、どのボタンを使用すればよいかを一見して判別しにくいという欠点があり、前記実施の形態では、使用目的に必要とされるボタンのみを表示するリモートコントローラにより、そのような欠点を解決するようにしている。
【００７５】
しかし、前記実施の形態においては、第１の遠隔操作装置４８１と、第２の遠隔操作装置４８２の操作には関連性が無いため、使用者が第２の遠隔操作装置４８２の使い方に慣れても、第１の遠隔操作装置４８１の操作に慣れることはできなかった。
【００７６】
本実施の形態では、第１の遠隔操作装置４８１と、第２の遠隔操作装置４８２の操作に関連性を持たせ、使用者が使い方に慣れていない間は、第２の遠隔操作装置４８２を使用し、使い方に慣れることで、第１の遠隔操作装置４８１の操作についても習得できるようにしている。具体的には、第２の遠隔操作装置４８２に表示する各モードの画面上には、第１の遠隔操作装置４８１の一部を表示するようにしている。すなわち、第２の遠隔操作装置４８２のタッチパネルの表示内容は、第１の遠隔操作装置４８１の操作部の一部に相当する。
【００７７】
図８（ａ）に示す第２の遠隔操作装置４８２のテレビモードでは、テレビ操作に使用する仮想操作ボタンを表示しており、ボタンの種類と配置は、第１の遠隔操作装置４８１のテレビ用ボタン群４８３と同等になるように構成されている。また、図８（ｂ）に示す第２の遠隔操作装置４８２の再生モードでは、記録済み番組の再生に使用する仮想操作ボタンを表示しており、ボタンの種類と配置は、第１の遠隔操作装置４８１の再生用ボタン群４８４と同等になるように構成されている。同様に、図８（ｃ）に示す第２の遠隔操作装置４８２の予約モードでは、放送番組の録画予約に使用する仮想操作ボタンを表示しており、ボタンの種類と配置は、第１の遠隔操作装置４８１の予約用ボタン群４８５と同等になるように構成されている。
【００７８】
使用者が、テレビなどの表示装置１１２やＤＶＤレコーダなどの記録再生装置１１３の操作に不慣れな間は、第２の遠隔操作装置４８２のテレビモード（図８（ａ））、再生モード（図８（ｂ））予約モード（図８（ｃ））を使用して、表示装置１１２や記録再生装置１１３の操作を行うことができる。これらのモードで表示される仮想操作ボタンは、それぞれ第１の遠隔操作装置４８１のテレビ用ボタン群４８３、再生用ボタン群４８４、予約用ボタン群４８５と同等であるため、第２の遠隔操作装置４８２を使用することで、第１の遠隔操作装置４８１の使用方法も同時に修得することが可能となる。
【００７９】
一般的に、使用者は、機器操作の習熟度が上がると共に、ボタン数が多くなっても操作に迷うことなく目的のボタンを選択することが可能になる。使用者は、本実施例に示す第２の遠隔操作装置４８２を使い慣れることで、第１の遠隔操作装置４８１を違和感なく使用できるようになり、結果的に遠隔操作システムの使い勝手を向上させることができる。
【００８０】
本実施の形態における第２の遠隔操作装置４８２では、各モードでの表示内容を第１の遠隔操作装置４８１の一部を表示するように構成したが、第１の遠隔操作装置４８１の全ボタンを表示するモードを設けてもよい。
【００８１】
また、第１の遠隔操作装置４８１に、第２の遠隔操作装置４８２における表示モード遷移ボタン１３１〜１３３に相当するボタンを用意してもよい。
【００８２】
＜実施の形態５＞
図１は、本発明の実施の形態５における複数の制御対象機器である表示装置と記録再生装置、および複数の制御対象機器を遠隔操作する遠隔操作装置で構成される遠隔操作システムの機器構成図を示す。構成は実施の形態１と同様であるので、ここでの詳細な説明は省略する。但し、図１に示すタッチパネルを備える遠隔操作装置１１１を遠隔操作装置４８２とする。
【００８３】
遠隔操作装置４８２は、制御対象機器の操作目的に応じて異なる仮想操作ボタンを表示する複数の表示モードと表示モードを切り換える表示モード遷移ボタンとを有する。
【００８４】
図９〜１２は、無線機能を搭載しない遠隔操作装置４８２と、無線機能を搭載した無線＆赤外線液晶タッチパネル遠隔操作装置１１９の両方が存在する場合に、無線機能を搭載しない遠隔操作装置４８２で録画操作した場合の画面遷移を図示したものである。図において、４８２Ａは無線機能を搭載していない遠隔操作装置のＴＶモードの画面状態、４８２Ｂは無線機能を搭載していない遠隔操作装置の再生画面状態、１１９Ａは無線機能を搭載した遠隔操作装置の表示ＯＦＦ状態、１１９Ｂは無線機能を搭載した遠隔操作装置のＴＶモード表示状態、１１９Ｃは無線機能を搭載した遠隔操作装置の再生モード表示状態、１１９Ｄは無線機能を搭載した遠隔操作装置の再生リスト表示状態、１１９Ｅは無線機能を搭載した遠隔操作装置の詳細情報表示状態、１１９Ｆは無線機能を搭載した遠隔操作装置のお奨め番組選択状態、１１９Ｇはキーワード入力画面状態、１１９Ｈは無線機能を搭載した遠隔操作装置のお奨め番組表表示状態である。
【００８５】
図１３〜１５は、無線機能を搭載しない遠隔操作装置４８２と、無線機能を搭載した無線＆赤外線液晶タッチパネル遠隔操作装置１１９の両方が存在する場合に、無線機能を搭載しない遠隔操作装置４８２で再生操作した場合の画面遷移を図示したものである。図において、４８２Ａは無線機能を搭載していない遠隔操作装置のＴＶモードの画面状態、４８２Ｃは無線機能を搭載していないリモコンの予約画面状態、１１９Ａは無線機能を搭載した遠隔操作装置の表示ＯＦＦ状態、１１９Ｂは無線機能を搭載した遠隔操作装置のＴＶモード表示状態、１１９Ｉは無線機能を搭載した遠隔操作装置の再生モード表示状態、１１９Ｊは無線機能を搭載した遠隔操作装置の電子番組表表示状態である。
【００８６】
図１６は、無線機能を搭載しない遠隔操作装置４８２と、無線機能を搭載した無線＆赤外線液晶タッチパネル遠隔操作装置１１９の両方が存在する場合の、画面遷移階層の遷移モードを現したもので、図において５０１は無線を搭載しない遠隔操作装置の表示ＯＦＦ状態、５０２は無線を搭載しない遠隔操作装置の初期画面状態、５０３は無線を搭載しない遠隔操作装置のＴＶモード表示、５０４は無線を搭載しない遠隔操作装置の再生モード表示、５０５は無線を搭載しない遠隔操作装置の予約モード表示、５０６は無線を搭載した遠隔操作装置の表示ＯＦＦ状態、５０７は無線を搭載した遠隔操作装置の初期画面表示、５０８は無線を搭載した遠隔操作装置のＴＶモード表示、５０９は無線を搭載した遠隔操作装置の再生モード表示、５１０は無線を搭載した遠隔操作装置の予約モード表示、５１１は無線を搭載した遠隔操作装置の再生リスト表示、５１２は無線を搭載した遠隔操作装置の再生詳細リスト表示、５１３は無線を搭載した遠隔操作装置のお奨め選択画面表示である。
【００８７】
では次に動作について説明する。図１に示すように無線を搭載しない遠隔操作装置４８２と、レコーダとの無線機能を搭載した無線＆赤外線液晶タッチパネル遠隔操作装置１１９が並存し、無線を搭載しない遠隔操作装置４８２をまず最初に操作した場合を想定する。この場合、無線を搭載しない遠隔操作装置４８２は例えば簡単リモコンと呼ばれる機能ボタンを限定したものであっても同様である。
【００８８】
図９において無線を搭載しない遠隔操作装置４８２Ｂを操作し初期のテレビモードからレコーダの再生モードに切換えた場合、画面は再生モード画面４８２Ｂに遷移する。この際赤外線でのリモコンコードはレコーダに伝送され、レコーダ側が再生モード状態に遷移するとともに、レコーダに搭載されている遠隔操作装置無線ＩＦによって、無線機能を搭載した無線＆赤外線液晶タッチパネル遠隔操作装置１１９自体を操作しなくても、表示ＯＦＦの状態１１９Ａであれば自動的に起動し、表示がＴＶモード１１９Ｂであっても、再生モード１１９Ｃに自動遷移する。すなわち、無線伝送受信制御装置を具備しない遠隔操作装置４８２の操作時において、無線伝送受信制御装置を具備しない遠隔操作装置４８２の操作による制御対象機器の状態遷移モードに応じ、前記無線伝送受信制御装置を具備する無線＆赤外線液晶タッチパネル遠隔操作装置１１９の表示モードが自動的に遷移される。
【００８９】
本実施例ではこの際無線機能搭載遠隔操作装置を画面表示させるように記載しているが、画面表示モードの遷移である内部状態のみを遷移させ、具体的に表示機能を動作させなくてもよい。また、表示モードが自動的に遷移される際に、ビープ音等の音声を発生し、無線＆赤外線液晶タッチパネル遠隔操作装置１１９の存在や位置、および状態遷移を知らせるようにしても良い。
【００９０】
また、次に無線を搭載しない遠隔操作装置４８２を操作し再生リストを押下すると、無線機能を搭載した無線＆赤外線液晶タッチパネル遠隔操作装置１１９側も自動的に遷移し、再生リスト表示状態１１９Ｄへ遷移させる。無線を搭載しない遠隔操作装置４８２はリモコンコードの送受信が確実に行われたかどうかを判断する手段がないため、表示階層を深くさせると操作上の不具合が発生する問題があり、再生モード４８２Ｂ以上の階層遷移は行わない。一方、無線機能搭載の双方向データ送受信遠隔操作装置タイプでは、確実にコードの受け渡しを確認して先に進めるため、深い画面階層への遷移が可能となり、再生リスト画面１１９Ｄの表示状態まで遷移する。すなわち、遠隔操作装置に搭載された表示手段における表示モードである遷移の階層構造において、無線伝送受信制御装置を具備した遠隔操作装置の無線＆赤外線液晶タッチパネル遠隔操作装置１１９が、無線伝送受信制御装置を具備しない遠隔操作装置４８２の画面遷移階層よりも多い構成となっている。
【００９１】
なお、ここから、無線機能を搭載した無線＆赤外線液晶タッチパネル遠隔操作装置１１９を操作し詳細ボタンを押下すると、番組の映像や内容を無線＆赤外線液晶タッチパネル遠隔操作装置１１９の液晶画面に表示させた詳細表示画面１１９Ｅに遷移する。すなわち、再生リスト表示モードの下に再生リストの内容詳細を記述した詳細情報表示モードを含む。また、詳細情報表示モードにおける再生リストの内容詳細において、本再生リストに対応する録画情報における映像画面を表示させる機能を備える。この場合の画面データや文字情報は当然無線ＩＦによってレコーダから送信されたものである。
【００９２】
一方、無線機能を搭載した無線＆赤外線液晶タッチパネル遠隔操作装置１１９を操作しお奨めボタンを押下すると、今まで録画した映像情報の中からお奨めの番組を自動検索するお奨め番組抽出機能の操作画面１１９Ｆに遷移する。すなわち、再生リスト表示モードの下に、ユーザの嗜好にあわせたお奨め番組を抽出するための画面操作モードを含む。また、画面操作モードは、ユーザの嗜好にあわせたお奨め番組を抽出するための画面操作モードの下に、ユーザの好みのキーワードを入力するモードを含む。
【００９３】
ここでキーワード入力ボタンを押下するとキーワード入力画面１１９Ｇに遷移し、さらに登場人物や番組ジャンルや内容のキーワードを入力すると、このキーワード情報はリモコンの無線ＩＦを経由してレコーダの無線ＩＦからレコーダ内に情報インプットが行われ、さらに上記キーワードに関する番組リストを特定の優先順位（視聴履歴の多さや時間的に早いものやキーワード出現頻度等の情報により優先度合いを数値化し、優先順位順に並べたもの）に従いリスト化し、この優先順位付けされた番組リストをレコーダの無線ＩＦからリモコン側に送信し、お奨め番組表１１９Ｈとして表示させる。すなわち、ユーザの嗜好にあわせたお奨め番組を抽出するための画面操作モードの下に、ユーザの嗜好に合わせたお奨め番組一覧を表示するモードを有する。
【００９４】
なお、上述の画面遷移は図１のようにレコーダ側に無線ＩＦを搭載したもので説明したが、ＴＶ側に搭載されている無線ＩＦを用い、リンク接続ケーブルを介してレコーダ情報を伝送し、ＴＶ側の無線ＩＦと無線機能搭載遠隔操作装置間でデータやりとりを行っても同様の効果が得られる事は言うまでもない。また、無線機能を搭載しない遠隔操作装置につては、機能を限定した簡単リモコンであっても同じである旨記載したが、無線機能を搭載した遠隔操作装置の状態遷移において、レコーダ側の状遷移と同期させる点については、例えばレコーダ側のフロントパネルに取り付けられたボタン操作による状態遷移であっても同様に動作させるべきである事はいうまでもない。
【００９５】
また次に無線を搭載しない遠隔操作装置４８２を操作し初期のテレビモードからレコーダの予約モードに切換えた場合図１３〜１５のような遷移となる。この場合、無線を搭載しない遠隔操作装置４８２Ｂは、まず画面は予約モード画面４８２Ｃに遷移する。同時に赤外線でのリモコンコードはレコーダに伝送され、レコーダ側が予約モード状態に遷移するとともに、レコーダに搭載されている遠隔操作装置無線ＩＦによって、無線機能を搭載した無線＆赤外線液晶タッチパネル遠隔操作装置１１９自体を操作しなくても、表示ＯＦＦの状態１１９Ａであれば自動的に起動し、表示がＴＶモード１１９Ｂであっても、予約モード１１９Ｉに自動遷移する。本実施例ではこの際無線機能搭載遠隔操作装置を画面表示させるように記載しているが、画面表示モードの遷移である内部状態のみを遷移させ、具体的に表示機能を動作させなくてもよい。また、画面表示を遷移させる際に、ビープ音を発生させ無線＆赤外線液晶タッチパネル遠隔操作装置１１９の位置を知らせるようにしても良い。
【００９６】
また次に、無線を搭載しない遠隔操作装置４８２Ｃを操作し、番組表ボタンを押下すると、無線を搭載しない遠隔操作装置４８２Ｃの表示は変化しないが、無線機能を搭載した遠隔操作装置１１９Ｉは電子番組表表示状態１１９Ｊに遷移する。無線を搭載しない遠隔操作装置４８２はリモコンコードの送受信が確実に行われたかどうかを判断する手段がないため、表示階層を深くさせると操作上の不具合が発生する問題があり、再生モード４８２Ｃ以上の階層遷移は行わない。一方、無線機能搭載の双方向データ送受信遠隔操作装置タイプでは、確実にコードの受け渡しを確認して先に進めるため、深い画面階層への遷移が可能となり、再生リスト画面１１９Ｊの表示状態まで遷移する。なお、上述の画面遷移は図１のようにレコーダ側に無線ＩＦを搭載したもので説明したが、ＴＶ側に搭載されている無線ＩＦを用い、リンク接続ケーブルを介してレコーダ情報を伝送し、ＴＶ側の無線ＩＦと無線機能搭載遠隔操作装置間でデータやりとりを行っても同様の効果が得られる事は言うまでもない。
【００９７】
上述した無線を搭載しない遠隔操作装置４８２と無線機能を搭載した無線＆赤外線液晶タッチパネル遠隔操作装置１１９の画面遷移階層とその関係を示したものが図１６である。図に示すように無線機能を搭載しておらず、双方向のデータ通信機能が無いリモコンにおいては、画面押下による遷移階層は第二階層までである。これに対応し無線機能を搭載した無線＆赤外線液晶タッチパネル遠隔操作装置１１９は、確実に機器の状態遷移と連動できる事から図に示すように第五階層までを有する。ここで、無線を搭載しない遠隔操作装置４８２の最下層でボタン押下したところ、すなわち無線機能を搭載した無線＆赤外線液晶タッチパネル遠隔操作装置１１９の第三階層までは連動した動作が行われる。これは液晶表示遠隔操作装置の性質上画面表示が階層構造となっており、個々の階層での操作が必要となるものの、レコーダ等の実機と遠隔操作装置の表示階層がずれていては、下層等の画面状態でボタン操作ができなくなるためである。
【００９８】
そのため、図１６に示すように無線機能を搭載しない遠隔操作装置であっても、無線機能を搭載した遠隔操作装置が存在している場合は、無線機能を搭載した遠隔操作装置側が無線機能を搭載しない遠隔操作装置の最下層の次の層まで自動的に遷移する。なお、画面表示モードの遷移である内部状態のみを遷移させ、具体的に表示機能を動作させなくてもよい。また、画面表示を遷移させる際に、ビープ音を発生させ無線＆赤外線液晶タッチパネル遠隔操作装置１１９の位置を知らせるようにしても良い。これにより、簡単リモコン操作にて機能が充実している無線リモコンが部屋のどこにあるか確認する事ができる。また、無線機能を搭載しない遠隔操作装置については、機能を限定した簡単リモコンであっても同じである旨記載したが、無線機能を搭載した遠隔操作装置の状態遷移において、レコーダ側の状態遷移と同期させる点については、例えばレコーダ側のフロントパネルに取り付けられたボタン操作による状態遷移であっても同様に動作させるべきである事はいうまでもない。また図１６に示すように無線機能を搭載していない遠隔操作装置の画面表示モードの最下層以降、ＴＶ画面を見ながら矢印キーでマニュアル操作した場合であっても、レコーダ装置内部のモード遷移状態と、無線機能を搭載した遠隔操作装置の画面モードを自動的に同期させることによって、無線機能を搭載した遠隔操作装置をいつでも操作開始でき、モードずれ等の問題を起こさなくて済む事ができる。
【００９９】
＜実施の形態６＞
図１は、本発明の実施の形態６における複数の制御対象機器である表示装置と記録再生装置、および複数の制御対象機器を遠隔操作する遠隔操作装置で構成される遠隔操作システムの機器構成図を示す。構成は実施の形態１と同様であるので、ここでの詳細な説明は省略する。但し、図１に示すタッチパネルを備える遠隔操作装置１１１を遠隔操作装置４８２とする。
【０１００】
図１７〜２１は無線機能を搭載した遠隔操作装置で電子番組表表示を行ってから録画予約するまでの動作フローを記述したもので、図において、６０１は遠隔操作装置Ｐｏｗｅｒボタン押下、６０２は遠隔操作装置の無線ＩＦにて対応のＡＶ機器確認用信号発信である。
【０１０１】
また、図１７の点線枠Ａは無線ＩＦを搭載したレコーダとのプロトコルが確立できる無線リモコンレコーダモードの状態遷移であり、６０３はレコーダの無線応答有無、６０４はレコーダプロトコル確立、６０５はレコーダのＰｏｗｅｒ−ＯＮ、６０６は録画モードボタン押下、６０７はレコーダ起動完了かどうか、６０８は『遠隔操作装置画面にレコーダ起動中です。』と表示、６０９はレコーダ録画モード起動、６１０は録画モード完了、６１１は『遠隔操作装置画面に録画モード起動中です。』と表示、６１２は番組表押下、６１３は番組表情報のリモコンあて送信、６１４は番組表情報の遠隔操作装置受信完、６１５は遠隔操作装置画面での番組表表示、６１６はユーザの選択・予約押下、６１７は予約情報受信、６１８は予約ＯＫか、６１９はＮＧ関連情報を受信、６２０は遠隔操作装置画面に『予約が完了しました。』と表示、６２１は遠隔操作装置画面にＮＧ関連情報を表示（ｅｘディスクが一杯です）である。
【０１０２】
また、図２０の点線枠Ｂはレコーダとのプロトコルが確立できなく無線ＩＦを搭載したＴＶとＴＶにリンクケーブルで接続されたレコーダとの情報伝送によってなる無線遠隔操作装置ＴＶリンクモードの状態遷移である。すなわち、放送される映像情報を録画する機能を有する制御対象機器との間で無線伝送受信プロトコルが確立されなかった場合に、放送される映像情報を表示する機能を有する制御対象機器との間で無線伝送受信プロトコルを確立し、ケーブルにおけるリンク接続機能を用い、放送される映像情報を表示する機能を有する制御対象機器を介して、放送される映像情報を録画する機能を有する制御対象機器を制御する状態遷移を示す。
【０１０３】
なお逆に、放送される映像情報を表示する機能を有する制御対象機器との間で無線伝送受信プロトコルが確立されなかった場合に、放送される映像情報を録画する機能を有する制御対象機器との間で無線伝送受信プロトコルを確立し、ケーブルにおけるリンク接続機能を用い、放送される映像情報を録画する機能を有する制御対象機器を介して、放送される映像情報を表示する機能を有する制御対象機器を制御してもよい。
【０１０４】
図において、６２２はテレビ応答有無、６２３はテレビプロトコル確立、６２４はリンク接続有無、６２５はＴＶに『リンクが接続されておりません。』と表示、６２６はリンク接続プロトコル確立、６２７はレコーダのＰｏｗｅｒ−ＯＮ、６２８は録画モードボタン押下、６２９はレコーダ起動完了、６３０はリモコン画面に『レコーダ起動中です。』と表示、６３１はレコーダ録画モード起動、６３２は録画モード完了、６３３は遠隔操作装置画面に『録画モード起動中です。』と表示、６３４は番組表押下、６３５は番組情報受信可能か？の分岐、６３６はテレビ画面に番組表を表示、６３７は番組表情報の遠隔操作装置あて送信、６３８は番組表情報の遠隔操作装置受信完、６３９は遠隔操作装置画面での番組表表示、６４０と６４１はユーザの選択・予約押下、６４２は予約情報受信、６４３は予約ＯＫか？の分岐、６４４はＮＧ関連情報を受信、６４５は遠隔操作装置画面に『予約が完了しました。』と表示、６４６は遠隔操作装置画面にＮＧ関連情報を表示（ｅｘディスクが一杯です）、である。
【０１０５】
また、図２１の点線枠ＣはレコーダやＴＶ等の制御対象機器との間で無線電送受信プロトコルが確立されなかった場合に、赤外線送信装置を用いて赤外発光により遠隔操作装置動作を行う赤外モードの状態遷移である。すなわち、遠隔操作装置が、放送される映像情報を録画する機能を有する制御対象機器との間および、放送される映像情報を表示する機能を有する制御対象機器との間の両方で無線伝送受信プロトコルが確立されなかった場合に、赤外線送信装置により操作を行う状態遷移である。
【０１０６】
図において、６４７は赤外発光によりレコーダへＰｏｗｅｒ−ＯＮ指示、６４８はレコーダのＰｏｗｅｒ−ＯＮ、６４９は再生モードボタン押下、６５０はレコーダ起動完了、６５１はTV画面に『レコーダ起動中です。』と表示、６５２はレコーダ録画モード起動、６５３は録画モード完了か？の分岐、６５４はＴＶ画面に『録画モード起動中です。』と表示、６５５は番組表押下、６５６はテレビ画面に番組表を表示、６５７はユーザの選択・予約押下、６５８は予約ＯＫか、６５９はＮＧ関連情報を受信、６６０はＴＶ画面に『予約が完了しました。』と表示６６１はＴＶ画面にＮＧ関連情報を表示（ｅｘディスクが一杯です）、である。
【０１０７】
また図２０，２１は、電子番組表の表示形態を、無線機能を搭載しない遠隔操作装置と、無線機能を搭載した遠隔操作装置とで比較したもので、図において６７１はオンエアの表示を行っているＴＶ画面の表示、６７２は電子番組表を表示させたＴＶ画面の表示である。
【０１０８】
次に、実施の形態６を図において説明する。図１７〜２１は無線機能を搭載した遠隔操作装置を用いて電子番組表により予約録画を行う操作を示したもので、まず無線遠隔操作装置のパワーボタンを押下６０１すると遠隔操作装置の無線ＩＦにより各ＡＶ機器の無線対応状況を確認する。次にレコーダに無線ＩＦが搭載されており、レコーダとプロトコルが確立６０４できる場合は、図中のＡ無線遠隔操作装置レコーダモードに入る事ができる。しかしながら、当該レコーダとのプロトコルが確立できない場合は、次にＴＶとの無線プロトコル確立をこころみ、さらにレコーダとのリンク接続が行われている場合はＢの無線遠隔操作装置ＴＶリンクモードに入る。またさらにレコーダを制御するための無線プロトコルが確立できない状況であれば、通常の赤外線コード送信によるＣ赤外モードによってレコーダを制御することとなる。
【０１０９】
次にレコーダＰｏｗｅｒ−ＯＮからの起動から、レコーダ側の録画モード完了までは、Ａの無線遠隔操作装置レコーダモードやＢの無線遠隔操作装置ＴＶリンクモードでは起動中の表示をリモコン画面で行う（６０８・６０１・６３０・６３３）事となる。ただしＴＶ側で平行して表示してもかまわない。一方、Ｃの赤外モードでは起動中の表示はＴＶ側に限定して行う（６５１・６５４）事となる。また、電子番組表押下時はＡの無線リモコンレコーダモードやＢの無線リモコンＴＶリンクモードでは、電子番組データをレコーダもしくはＴＶの無線ＩＦを介して受信し、無線リモコンの液晶画面に電子番組表を表示（６１５・６３９）する。ただしＢの無線遠隔操作装置ＴＶリンクモードにて電子番組表データをリンク接続でレコーダからＴＶ側に伝送できない場合は、Ｃ赤外モード時と同じようにＴＶ側に電子番組表を表示（６３６・６５６）する。また、電子番組表からの予約録画および予約完了もしくはＮＧ表示についてもＡの無線リモコンレコーダモードやＢの無線遠隔操作装置ＴＶリンクモードでは、無線リモコンの液晶画面上で操作するが、Ｂの無線遠隔操作装置ＴＶリンクモードにて電子番組表データをリンク接続でレコーダからＴＶ側に伝送できない場合やＣ赤外モード時では、従来と同じくＴＶに表示された電子番組表から予約録画を行う。このようにデータ送受信の起動時間が極めて短い無線接続を優先させ、データ送信時間が長く発光動作による消費電力の大きい赤外データ送信の優先順位を低くする事で遠隔操作装置の電池寿命を長くする事が可能となる。
【０１１０】
なお、図２０に示すように無線を搭載していない遠隔操作装置の使用時や無線遠隔操作装置の液晶表示にて電子番組表を表示できない場合、表示６７１についてはＴＶ側の表示６７２となるものの、図２１に示すように無線遠隔操作装置の液晶表示にて電子番組表を表示できる場合においてはＴＶ側は現状の視聴状態を継続し遠隔操作装置の液晶表示にて予約操作を行う事も可能である。このようにすれば複数名で視聴している状態を妨げずに、特定の操作者によって予約設定を行う事も可能となる。
【符号の説明】
【０１１１】
１１１，２６１，３７１  遠隔操作装置、１１２  表示装置、１１３  記録再生装置、１１４  接続ケーブル、１１５，１１６  赤外線送信信号、１１７，１１８  無線信号、１１９  無線＆赤外線液晶タッチパネル遠隔操作装置、１２１  ＣＰＵ、１２２  メモリ、１２３  液晶パネル、１２４  タッチパネル、１２５  液晶タッチパネル、１２６  信号送信部、１２７  発音装置、１２８  無線信号送受信装置、１３１  テレビモードボタン、１３２  予約モードボタン、１３３  再生モードボタン、２６２  再生リストボタン、２６３  番組表ボタン、３７２  地上波デジタル放送選択ボタン、３７３  ＢＳデジタル放送選択ボタン、３７４  ＣＳデジタル放送選択ボタン、３７５  地上波アナログ放送選択ボタン、４８１  第１の遠隔操作装置、４８２  第２の遠隔操作装置、４８３  テレビ用ボタン群、４８４  再生用ボタン群、４８５  予約用ボタン群、６７１，６７２  表示。
【図１】
0005511935.tif 000002
【図２】
0005511935.tif 000003
【図３】
0005511935.tif 000004
【図４】
0005511935.tif 000005
【図５】
0005511935.tif 000006
【図６】
0005511935.tif 000007
【図７】
0005511935.tif 000008
【図８】
0005511935.tif 000009
【図９】
0005511935.tif 000010
【図１０】
0005511935.tif 000011
【図１１】
0005511935.tif 000012
【図１２】
0005511935.tif 000013
【図１３】
0005511935.tif 000014
【図１４】
0005511935.tif 000015
【図１５】
0005511935.tif 000016
【図１６】
0005511935.tif 000017
【図１７】
0005511935.tif 000018
【図１８】
0005511935.tif 000019
【図１９】
0005511935.tif 000020
【図２０】
0005511935.tif 000021
【図２１】
0005511935.tif 000022